(57)【要約】      （修正有）【課題】親局設備の操作者の負担を増やすことなく、聴取者の要望に応じた放送を行うことを可能にする放送装置、システム及びプログラムを提供する。【解決手段】放送装置は、自装置が独自に放送する自局放送に対する聴取者の要望に関する聴取者情報を含む収集情報を情報収集装置から受信する収集情報受信部と、前記収集情報に基づいて前記自局支援情報を生成する支援情報生成部とを備える。支援情報生成部より自局放送支援情報を出力し、自装置に対する操作入力に基づいて自局放送を行う。【選択図】図４
2019047456.tif 000002
【特許請求の範囲】
【請求項１】
自装置が独自に放送する自局放送に対する聴取者の要望を示す自局放送支援情報を出力する支援情報出力部と、
前記自装置に対する操作入力に基づいて前記自局放送を行う自局放送部と
を備えることを特徴とする放送装置。
【請求項２】
情報収集装置から前記自局放送支援情報を受信する支援情報受信部
をさらに備えることを特徴とする請求項１に記載の放送装置。
【請求項３】
前記自局放送に対する前記聴取者の前記要望に関する聴取者情報を含む収集情報を情報収集装置から受信する収集情報受信部と、
前記収集情報に基づいて前記自局放送支援情報を生成する支援情報生成部と
をさらに備えることを特徴とする請求項１に記載の放送装置。
【請求項４】
前記収集情報受信部は、前記収集情報を収集情報記憶部に記憶させ、
前記支援情報生成部は、前記収集情報記憶部の前記収集情報に基づいて前記自局放送支援情報の生成を行う
ことを特徴とする請求項３に記載の放送装置。
【請求項５】
前記聴取者情報以外の周辺情報を収集し、前記周辺情報を前記収集情報記憶部に記憶させる周辺情報収集部
をさらに備え、
前記支援情報生成部は、前記自局放送支援情報の生成を前記収集情報記憶部の前記聴取者情報および前記周辺情報に基づいて行う
ことを特徴とする請求項４に記憶の放送装置。
【請求項６】
前記自局放送に対する前記聴取者の前記要望に関する聴取者情報を収集して収集情報記憶部に記憶させる聴取者情報収集部と、
前記聴取者情報に基づいて前記自局放送支援情報を生成する支援情報生成部と
をさらに備えることを特徴とする、請求項１に記載の放送装置。
【請求項７】
前記聴取者情報以外の周辺情報を収集して前記収集情報記憶部に記憶させる周辺情報収集部
をさらに備え、
前記支援情報生成部は、前記自局放送支援情報の生成を前記聴取者情報および前記周辺情報に基づいて行う
ことを特徴とする請求項６に記載の放送装置。
【請求項８】
請求項２から請求項５のいずれかに記載の放送装置と、
前記情報収集装置と
を備えることを特徴とする放送システム。
【請求項９】
放送装置が独自に放送する自局放送に対する聴取者の要望に関する聴取者情報を収集して収集情報記憶部に記憶させる聴取者情報収集部と、
前記聴取者情報を含む収集情報を前記放送装置へ送信する収集情報送信部と
を備えることを特徴とする情報収集装置。
【請求項１０】
自装置が独自に放送する自局放送に対する聴取者の要望を示す自局放送支援情報を出力し、
前記自装置に対する操作入力に基づいて前記自局放送を行う
ことを特徴とする放送方法。
【発明の詳細な説明】
【技術分野】
【０００１】
本発明は、同報無線システムにおける、放送装置、システム、方法およびプログラムに関する。
【背景技術】
【０００２】
一般的な同報無線システムは、親局設備と拡声放送設備とから構成される。本明細書では、同報無線システムの放送制御を行う装置全般を親局設備と呼び、スピーカーと接続して拡声放送を行う機能を持つ装置を拡声放送設備と呼ぶ。
【０００３】
市町村デジタル同報通信システムに関する標準規格が、ＡＲＩＢ（Association of Radio Industries and Businesses）  ＳＴＤ（Standard）−Ｔ８６およびＡＲＩＢ  ＳＴＤ−Ｔ１１５等に記載されている。これらの規格に記載されている再送信子局設備と屋外拡声子局（拡声子局）が、拡声放送設備に相当する。
【０００４】
拡声放送設備は、一つの同報無線システム内に一つ以上存在することができる。拡声放送設備は、親局設備から放送内容を含む無線信号を受信してその放送内容を放送することができる。この、親局設備から受信した放送内容を放送する放送を拡声放送と呼ぶ。また、拡声放送設備は、拡声放送設備の操作者（以下、自局放送実施者）の操作によって、親局設備から放送内容を受信することなく、拡声放送設備に接続されたスピーカーから単独放送（以下、自局放送）を行うことができる。自局放送実施者は、自局放送を行うことで、必要と思われる情報を任意のタイミングで拡声放送設備周辺に対して放送することができる。
【０００５】
しかし、自局放送の放送内容は、あくまで自局放送実施者が放送したい内容である。そのため、自局放送の放送内容が放送を聴取する人（以下、聴取者）が本当に知りたい情報であるかは不明である。また、自局放送による情報提供をそのタイミングで聴取者が必要としているかを、自局放送実施者が確認することは難しい。
【０００６】
また、同報無線システムでは、拡声放送設備は、放送内容を含む無線信号を自局放送中に親局設備から受信すると、自局放送を中断して拡声放送（親局設備からの放送）を行うことが多い。これは、地理的に放送現場に近い場所から放送できる自局放送よりも、役場等に設置される親局設備から放送する内容の方が聴取者にとって有益である場合が多いためと考えられる。
【０００７】
このように、自局放送は、自局放送実施者が聴取者に近い場所で現地の状況を確認しながら有益な情報を提供できる機能ではあるが、十分に活用されていない。
【０００８】
また、特定の地域向けに放送を行う方法としては、自局放送以外にも、親局設備が拡声放送設備の各々に対して個別の放送内容を送信する方法が考えられる。
【０００９】
たとえば、特許文献１に記載の方法では、親局設備が放送内容と放送先（拡声放送設備に相当）を分離して管理し、必要に応じて放送先を任意に指定している。
【００１０】
また、特許文献２に記載の方法では、放送局（拡声放送設備に相当）が、センタ局（親局設備に相当）から受信した情報を市町村別データベースに記憶させ、市町村別データベースへのアクセス用ＵＲＬを受信機へ送信する。そして、放送局が、受信機の操作者が選択した市町村を無線通信で受信し、選択された市町村の情報を放送している。
【先行技術文献】
【特許文献】
【００１１】
【特許文献１】特開２０１６−１５８０６４号公報
【特許文献２】特開２００９−０３３５７８号公報
【発明の概要】
【発明が解決しようとする課題】
【００１２】
しかし、特許文献１あるいは特許文献２に記載の方法では、拡声放送で放送される内容は、親局設備の操作者が放送したい内容である。そのため、自局放送の放送内容と同様に、拡声放送の放送内容が、聴取者が知りたい情報であるかは不明である。また、拡声放送設備がシステム内に多数ある場合、各々の拡声放送設備の拡声放送の放送内容を各々の拡声放送設備への要望に応じて親局設備の操作者が検討・作成すると、親局設備の操作者の負担が大きくなる。
【００１３】
本発明の目的は、親局設備の操作者の負担を増やすことなく、聴取者の要望に応じた放送を行うことを可能にする、放送装置、システム、方法およびプログラムを提供することにある。
【課題を解決するための手段】
【００１４】
上述の問題を解決するために、本発明の放送装置は、自装置が独自に放送する自局放送に対する聴取者の要望を示す自局放送支援情報を出力する支援情報出力部と、前記自装置に対する操作入力に基づいて前記自局放送を行う自局放送部とを備えることを特徴とする。
【００１５】
また、本発明の情報収集装置は、放送装置が独自に放送する自局放送に対する聴取者の要望に関する聴取者情報を収集する聴取者情報収集部と、前記聴取者情報を含む収集情報を前記放送装置へ送信する収集情報送信部とを備えることを特徴とする。
【００１６】
また、本発明の情報収集装置は、放送装置が独自に放送する自局放送に対する聴取者の要望に関する聴取者情報を収集して収集情報記憶部に記憶させる聴取者情報収集部と、前記聴取者情報を含む収集情報を前記放送装置へ送信する収集情報送信部とを備えることを特徴とする。
【００１７】
また、本発明の情報収集装置は、放送装置が独自に放送する自局放送に対する聴取者の要望に関する聴取者情報を収集して収集情報記憶部に記憶させる聴取者情報収集部と、前記聴取者情報を含む収集情報に基づいて前記自局放送に対する前記聴取者の要望を示す自局放送支援情報を生成する支援情報生成部と、前記自局放送支援情報を前記放送装置へ送信する支援情報送信部とを備えることを特徴とする。
【００１８】
また、本発明の放送方法は、自装置が独自に放送する自局放送に対する聴取者の要望を示す自局放送支援情報を出力し、前記自装置に対する操作入力に基づいて前記自局放送を行うことを特徴とする。
【００１９】
また、本発明の情報収集方法は、放送装置が独自に放送する自局放送に対する聴取者の要望に関する聴取者情報を収集し、前記聴取者情報を含む収集情報を前記放送装置へ送信することを特徴とする。
【００２０】
また、本発明の情報収集方法は、放送装置が独自に放送する自局放送に対する聴取者の要望に関する聴取者情報を収集して収集情報記憶部に記憶させ、前記聴取者情報を含む収集情報を前記放送装置へ送信することを特徴とする。
【００２１】
また、本発明の情報収集方法は、放送装置が独自に放送する自局放送に対する聴取者の要望に関する聴取者情報を収集して収集情報記憶部に記憶させ、前記聴取者情報を含む収集情報に基づいて前記自局放送に対する前記聴取者の要望を示す自局放送支援情報を生成し、前記自局放送支援情報を前記放送装置へ送信することを特徴とする。
【００２２】
また、本発明の放送プログラムは、コンピュータに、自装置が独自に放送する自局放送に対する聴取者の要望を示す自局放送支援情報を出力する支援情報出力機能と、前記自装置に対する操作入力に基づいて前記自局放送を行う自局放送機能とを実現させることを特徴とする。
【００２３】
また、本発明の情報収集プログラムは、コンピュータに、放送装置が独自に放送する自局放送に対する聴取者の要望に関する聴取者情報を収集する聴取者情報収集機能と、前記聴取者情報を含む収集情報を前記放送装置へ送信する収集情報送信機能とを実現させることを特徴とする。
【００２４】
また、本発明の情報収集プログラムは、コンピュータに、放送装置が独自に放送する自局放送に対する聴取者の要望に関する聴取者情報を収集して収集情報記憶部に記憶させる聴取者情報収集機能と、前記聴取者情報を含む収集情報を前記放送装置へ送信する収集情報送信機能とを実現させることを特徴とする。
【００２５】
また、本発明の情報収集プログラムは、コンピュータに、放送装置が独自に放送する自局放送に対する聴取者の要望に関する聴取者情報を収集して収集情報記憶部に記憶させる聴取者情報収集機能と、前記聴取者情報を含む収集情報に基づいて前記自局放送に対する前記聴取者の要望を示す自局放送支援情報を生成する支援情報生成機能と、前記自局放送支援情報を前記放送装置へ送信する支援情報送信機能とを実現させることを特徴とする。
【発明の効果】
【００２６】
本発明の放送装置、システム、方法およびプログラムにより、親局設備の操作者の負担を増やすことなく、聴取者の要望に応じた放送を行うことが可能になる。
【図面の簡単な説明】
【００２７】
【図１】本発明の第一の実施形態の放送装置の構成例を示す図である。
【図２】本発明の第一の実施形態の放送装置の動作例を示す図である。
【図３】本発明の第二の実施形態の放送装置および情報収集装置の構成例を示す図である。
【図４】本発明の第二の実施形態の放送装置および情報収集装置の動作例を示す図である。
【図５】本発明の第三の実施形態の放送装置および情報収集装置の構成例を示す図である。
【図６】本発明の第四の実施形態の放送装置および情報収集装置の構成例を示す図である。
【図７】本発明の第四の実施形態の放送装置および情報収集装置の動作例を示す図である。
【図８】本発明の第五の実施形態の放送装置および情報収集装置の構成例を示す図である。
【図９】本発明の第五の実施形態の放送装置および情報収集装置の動作例を示す図である。
【図１０】本発明の第六の実施形態の放送装置および情報収集装置の構成例を示す図である。
【図１１】本発明の第六の実施形態の放送装置および情報収集装置の動作例を示す図である。
【図１２】本発明の第七の実施形態の放送装置の構成例を示す図である。
【図１３】本発明の第七の実施形態の放送装置の動作例を示す図である。
【図１４】本発明の各実施形態のハードウェア構成例を示す図である。
【発明を実施するための形態】
【００２８】
［第一の実施形態］
本発明の第一の実施の形態について説明する。
【００２９】
図１に本実施形態の放送装置１０の構成例を示す。本実施形態の放送装置１０は、自局放送部１１および支援情報出力部１２により構成される。
【００３０】
支援情報出力部１２は、自装置が独自に放送する自局放送に対する聴取者の要望を示す自局放送支援情報を出力する部分である。自局放送部１１は、自装置に対する操作入力に基づいて、自局放送を行う部分である。
【００３１】
このように放送装置１０を構成することによって、放送装置１０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置１０向けの放送を検討・作成する必要がない。そのため、親局設備の操作者の負担を増やすことなく、聴取者の要望に応じた放送を行うことが可能になる。
【００３２】
次に、図２に本実施形態の放送装置１０の動作の例を示す。
【００３３】
支援情報出力部１２は、自装置が独自に放送する自局放送に対する聴取者の要望を示す自局放送支援情報を出力する（ステップＳ１０１）。また、自局放送部１１は、自装置に対する操作入力に基づいて自局放送を行う（ステップＳ１０２）。
【００３４】
このように動作することによって、放送装置１０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置１０向けの放送を検討・作成する必要がない。そのため、親局設備の操作者の負担を増やすことなく、聴取者の要望に応じた放送を行うことが可能になる。
【００３５】
以上で説明したように、本発明の第一の実施形態では、放送装置１０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置１０向けの放送を検討・作成する必要がない。そのため、親局設備の操作者の負担を増やすことなく、聴取者の要望に応じた放送を行うことが可能になる。
【００３６】
［第二の実施形態］
次に、本発明の第二の実施の形態について説明する。本実施形態では、放送装置２０が情報収集装置１１０から自局放送支援情報を受信する場合について説明する。
【００３７】
まず、図３に本実施形態の放送システムの構成例を示す。本実施形態の放送システムは、放送装置２０および情報収集装置１１０により構成される。放送装置２０は放送システム内に一台以上存在することが可能である。放送装置２０は拡声放送設備に、情報収集装置１１０は親局設備に相当する。
【００３８】
次に、図３を用いて、本実施形態の情報収集装置１１０の構成例について説明する。情報収集装置１１０は、聴取者情報収集部１１１、収集情報記憶部１１２、支援情報生成部１１３および支援情報送信部１１４により構成される。
【００３９】
聴取者情報収集部１１１は、自局放送に対する聴取者の要望に関する情報（聴取者情報）を収集し、収集情報記憶部１１２へ記憶させる部分である。聴取者情報収集部１１１は、インターネットやイントラネット、その他通信網経由で、聴取者から聴取者情報を収集する。聴取者情報の収集方法の例については後述する。
【００４０】
収集情報記憶部１１２は、聴取者情報収集部１１１が収集した聴取者情報を記憶する部分である。
【００４１】
支援情報生成部１１３は、聴取者情報に基づいて、自局放送支援情報を生成する部分である。自局放送支援情報は、自局放送実施者が自局放送を実施する際に参考にしたい情報である。本実施形態では、自局放送支援情報は、自局放送実施の必要性や、自局放送すべき内容、自局放送の際に参考となる情報など、自局放送に対する聴取者の要望を示す情報である。自局放送実施者は、放送装置２０の支援情報出力部１２から出力される自局放送支援情報を参照することで、自局放送に対する聴取者の要望を把握することができる。
【００４２】
支援情報生成部１１３は、放送装置２０の各々に対して自局放送支援情報を生成する。聴取者情報には、個々の放送装置２０を対象とした情報の他に、複数の放送装置２０を対象とした情報が含まれる可能性がある。支援情報生成部１１３は、ある放送装置２０に対する自局放送支援情報を生成するとき、必要に応じて、当該放送装置２０が対象に含まれる聴取者情報を収集情報記憶部１１２から取得して自局放送支援情報を生成する。自局放送支援情報の生成方法の例については後述する。
【００４３】
支援情報送信部１１４は、自局放送支援情報を放送装置２０へ送信する部分である。本実施形態では、支援情報送信部１１４は、無線通信で自局放送支援情報を送信するものとするが、有線通信で送信しても良い。また、支援情報送信部１１４は、自局放送支援情報とともに放送装置２０の識別情報を放送装置２０へ送信しても良い。
【００４４】
次に、聴取者情報の収集方法および自局放送支援情報の生成方法の例について説明する。
【００４５】
聴取者情報収集部１１１は、たとえば、自局放送に関する質問に対して聴取者が選択肢の中から選択した回答をインターネット経由で収集することができる。そして、支援情報生成部１１３が回答を集計し、集計結果を自局放送支援情報とすることができる。
【００４６】
あるいは、聴取者情報収集部１１１が、自局放送に関する質問に対して聴取者が回答した任意の文章を収集し、支援情報生成部１１３が文章を分析することで自局放送支援情報を生成しても良い。回答文章の収集方法には、たとえば、聴取者情報収集用のＷｅｂサーバに対して聴取者が通信端末を利用してアクセスして回答文章を登録し、聴取者情報収集部１１１がそのＷｅｂサーバにアクセスして回答文章データ（テキスト情報）を収集する方法などが考えられる。聴取者情報収集部１１１がこのＷｅｂサーバの機能を備えていても良い。
【００４７】
なお、聴取者の回答をインターネット経由で収集する場合、聴取者情報収集用のＷｅｂサーバや聴取者情報収集部１１１は、回答者が聴取者であるかどうかの認証を実施しても良い。Ｗｅｂサーバや聴取者情報収集部１１１は、たとえば、通信端末の位置情報や、ＩＤ（Identification）およびパスワードなどにより認証を実施することができる。認証を実施することで、聴取者以外の人による情報提供を防ぐことができる。
【００４８】
あるいは、ＳＮＳ（Social Networking Service）に投稿された情報の中から自局放送に関する文章を聴取者情報収集部１１１が収集し、支援情報生成部１１３がその文章を分析することで自局放送支援情報を生成しても良い。この場合、たとえば、聴取者情報収集部１１１は、放送装置２０の名称や設置施設名、地名、地域名等をキーワードにして、ＳＮＳに投稿された文章の中から聴取者情報を収集することができる。Ｔｗｉｔｔｅｒ（登録商標）のように投稿者がタグ付けできるＳＮＳの投稿情報を利用する場合は、聴取者情報収集部１１１は、所定のタグを検索することで聴取者情報を収集しても良い。あるいは、テキスト含意認識技術を利用して聴取者情報を収集しても良い。
【００４９】
次に、図３を用いて、本実施形態の放送装置２０の構成例について説明する。
【００５０】
放送装置２０は、自局放送部１１、支援情報出力部１２および支援情報受信部２３により構成される。
【００５１】
支援情報受信部２３は、情報収集装置１１０から自局放送支援情報を受信する部分である。
【００５２】
支援情報出力部１２は、自局放送支援情報を出力する部分である。支援情報出力部１２は、自局放送実施者が自局放送支援情報を把握できるよう、たとえば、放送装置２０の表示画面に文字や画像の形式で自局放送支援情報を出力する。あるいは、支援情報出力部１２は、音声や光、振動などの形式で自局放送支援情報を出力しても良い。文字で自局放送支援情報を出力する場合、支援情報出力部１２は、自局放送支援情報の全文を表示しても良いし、種別ごとに箇条書きで表示しても良い。
【００５３】
また、支援情報出力部１２は、任意のタイミングで自局放送支援情報を出力しても良いし、自局放送実施者から所定の操作入力が行われた際に自局放送支援情報を出力しても良い。さらに、放送装置２０は、出力された自局放送支援情報を自局放送実施者が編集できる機能を備えていても良い。
【００５４】
また、放送装置２０は、さらに、自局放送の音量やチャイムの速度に対する要望が自局放送支援情報に含まれているとき、自局放送の音量の制御やチャイム速度の制御を自動で行う制御部を備えていても良い。
【００５５】
なお、支援情報出力部１２は、必ずしも放送装置２０に内蔵されている必要はなく、放送装置２０と有線あるいは無線で接続された出力装置であっても良い。
【００５６】
自局放送部１１は、操作入力に基づいて自局放送を行う部分である。自局放送実施者が自局放送支援情報を確認したうえで自局放送を実施することで、放送装置２０は、聴取者の要望に応じた自局放送を実施することができる。
【００５７】
このように放送装置２０を構成することによって、放送装置２０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置２０向けの放送を検討・作成する必要がない。そのため、親局設備の操作者の負担を増やすことなく、聴取者の要望に応じた放送を行うことが可能になる。
【００５８】
また、本実施形態の放送装置２０は、自局放送の放送エリアの近くにいる自局放送実施者が、出力された自局放送支援情報を確認したうえで自局放送を実施することで、聴取者の要望や放送エリアの現状に応じた自局放送を行うことが可能になる。また、不要な自局放送の実施を低減することが可能になる。また、一般的にあまり有効に利用されていない自局放送を有効に利用することが可能になる。
【００５９】
次に、図４を用いて本実施形態の情報収集装置１１０および放送装置２０の動作例について説明する。
【００６０】
まず、情報収集装置１１０の聴取者情報収集部１１１は、聴取者情報を収集し（ステップＳ２０１）、収集情報記憶部１１２に記憶させる（ステップＳ２０２）。次に、支援情報生成部１１３は、聴取者情報に基づいて自局放送支援情報を生成する（ステップＳ２０３）。そして、支援情報送信部１１４は、自局放送支援情報を放送装置２０へ送信する（ステップＳ２０４）。
【００６１】
放送装置２０の支援情報受信部２３は、情報収集装置１１０から自局放送支援情報を受信する（ステップＳ２０５）。次に、支援情報出力部１２は、自局放送支援情報を出力する（ステップＳ２０６）。そして、自局放送支援情報を参照した自局放送実施者が操作入力を行い、自局放送部１１は、操作入力に基づいて自局放送を行う（ステップＳ２０７）。
【００６２】
このように動作することによって、放送装置２０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置２０向けの放送を検討・作成する必要がない。そのため、親局設備の操作者の負担を増やすことなく、聴取者の要望に応じた放送を行うことが可能になる。
【００６３】
以上で説明したように、本発明の第二の実施形態では、放送装置２０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置２０向けの放送を検討・作成する必要がない。そのため、親局設備の操作者の負担を増やすことなく、聴取者の要望に応じた放送を行うことが可能になる。
【００６４】
また、本実施形態の放送装置２０は、自局放送の放送エリアの近くにいる自局放送実施者が、出力された自局放送支援情報を確認したうえで自局放送を実施することで、聴取者の要望や放送エリアの現状に応じた自局放送を行うことが可能になる。また、不要な自局放送の実施を低減することが可能になる。また、一般的にあまり有効に利用されていない自局放送を有効に利用することが可能になる。
【００６５】
なお、本実施形態の放送装置２０は、６０ＭＨｚ帯デジタル同報防災無線システム、６０ＭＨｚ帯アナログ同報防災無線システム、その他消防・防災に関する放送システム等に利用することが可能である。
【００６６】
［第三の実施形態］
次に、本発明の第三の実施の形態について説明する。本実施形態では、情報収集装置１２０が聴取者情報以外の周辺情報を収集する場合について説明する。
【００６７】
まず、図５を用いて本実施形態の情報収集装置１２０の構成例について説明する。本実施形態の情報収集装置１２０は、第二の実施形態の情報収集装置１１０の構成例に対して周辺情報収集部１２５を追加した構成である。
【００６８】
周辺情報収集部１２５は、聴取者情報以外の周辺情報を収集し、収集情報記憶部１１２に記憶させる部分である。そして、支援情報生成部１１３は、聴取者情報および周辺情報に基づいて自局放送支援情報を生成する。本実施形態の情報収集装置１２０は、自局放送支援情報の生成に聴取者情報以外の情報も活用することで、自局放送支援情報の質をより高いものにすることが可能となる。
【００６９】
たとえば、周辺情報収集部１２５は、気象レーダーの情報やハザードマップをインターネット経由等で収集することができる。あるいは、有線あるいは無線で接続された振動センサ、放射線センサ、化学物質センサ、においセンサ、カメラ、雨量計、水位計等から情報を収集することもできる。なお、周辺情報の一種として、ハザードマップを収集情報記憶部１１２にあらかじめ記憶させておいても良い。
【００７０】
周辺情報収集部１２５が周辺情報を収集することにより、放送システムは、自局放送支援情報に含まれる避難指示の内容や周辺環境に関する情報の質を向上することができる。また、聴取者の多くが自局放送は実施不要と回答していても、周辺情報に基づいて、緊急事態を知らせるための自局放送を実施すべきという旨の自局放送支援情報を生成することが可能となる。
【００７１】
情報収集装置１２０の聴取者情報収集部１１１および支援情報送信部１１４については第二の実施形態と同様のため説明を省略する。また、放送装置２０についても第二の実施形態と同様のため説明を省略する。
【００７２】
このように放送装置２０を構成することによって、放送装置２０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置２０向けの放送を検討・作成する必要がない。そのため、親局設備の操作者の負担を増やすことなく、聴取者の要望に応じた放送を行うことが可能になる。
【００７３】
次に、図４を用いて、本実施形態の情報収集装置１２０および放送装置２０の動作例について説明する。
【００７４】
本実施形態では、ステップＳ２０１において、聴取者情報収集部１１１が聴取者情報を収集し、また、周辺情報収集部１２５が周辺情報を収集する。次に、ステップＳ２０２において、聴取者情報収集部１１１は聴取者情報を、周辺情報収集部１２５は周辺情報を収集情報記憶部１１２に記憶させる。そして、ステップＳ２０３において、支援情報生成部１１３は聴取者情報および周辺情報に基づいて自局放送支援情報を生成する。これ以降の動作については第二の実施形態と同様のため説明を省略する。
【００７５】
このように動作することによって、放送装置２０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置２０向けの放送を検討・作成する必要がない。そのため、親局設備の操作者の負担を増やすことなく、聴取者の要望に応じた放送を行うことが可能になる。
【００７６】
以上で説明したように、本発明の第三の実施形態では、放送装置２０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置１０向けの放送を検討・作成する必要がない。そのため、親局設備の操作者の負担を増やすことなく、聴取者の要望に応じた放送を行うことが可能になる。
【００７７】
［第四の実施形態］
次に、本発明の第四の実施の形態について説明する。本実施形態では、放送装置３０が情報収集装置１３０から収集情報を受信して自局放送支援情報を生成する場合について説明する。
【００７８】
まず、図６を用いて本実施形態の情報収集装置１３０の構成例について説明する。本実施形態の情報収集装置１３０は、聴取者情報収集部１１１、収集情報記憶部１１２、周辺情報収集部１２５および収集情報送信部１３６により構成される。
【００７９】
聴取者情報収集部１１１は聴取者情報を収集して収集情報記憶部１１２に記憶させる部分である。周辺情報収集部１２５は周辺情報を収集して収集情報記憶部１１２に記憶させる部分である。
【００８０】
収集情報記憶部１１２は情報収集装置１３０が収集した収集情報を記憶する部分である。本実施形態の場合、収集情報は聴取者情報および周辺情報を含む。なお、情報収集装置１３０は周辺情報収集部１２５を備えていなくても良い。その場合、収集情報は聴取者情報のみとなる。
【００８１】
収集情報送信部１３６は、収集情報記憶部１１２に記憶された収集情報を放送装置３０へ送信する部分である。収集情報送信部１３６は、収集情報記憶部１１２に記憶された収集情報の中から、放送装置３０に関連する収集情報を放送装置３０へ送信する。
【００８２】
次に、図６を用いて、本実施形態の放送装置３０の構成例について説明する。本実施形態の放送装置３０は、自局放送部１１、支援情報出力部１２、収集情報受信部３４および支援情報生成部３５により構成される。
【００８３】
収集情報受信部３４は、情報収集装置１３０から収集情報を受信する部分である。支援情報生成部３５は、収集情報に基づいて自局放送支援情報を生成する部分である。支援情報出力部１２は、自局放送支援情報を出力する部分である。自局放送部１１は、操作入力に基づいて自局放送を行う部分である。
【００８４】
このように放送装置３０を構成することによって、放送装置３０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置３０向けの放送を検討・作成する必要がない。そのため、親局設備の操作者の負担を増やすことなく、聴取者の要望に応じた放送を行うことが可能になる。
【００８５】
また、本実施形態の放送システムは、放送装置３０が自局放送支援情報を生成する。そのため、システム内の放送装置３０の数が多い場合に、自局放送支援情報の生成に関する負荷を各々の放送装置３０に分散することができる。また、これにより、聴取者からの情報収集開始から自局放送支援情報の出力までにかかる時間を短縮することが可能になる。
【００８６】
次に、図７を用いて、本実施形態の情報収集装置１３０および放送装置３０の動作例について説明する。
【００８７】
まず、情報収集装置１３０は、収集情報（聴取者情報、あるいは、聴取者情報および周辺情報）を収集する（ステップＳ３０１）。次に、情報収集装置１３０は、収集情報記憶部１１２に収集情報を記憶させる（ステップＳ３０２）。そして、情報収集装置１３０の収集情報送信部１３６は、収集情報記憶部１１２から放送装置３０を対象とする収集情報を取得し、取得した収集情報を放送装置３０へ送信する（ステップＳ３０３）。
【００８８】
放送装置３０の収集情報受信部３４は、収集情報を受信する（ステップＳ３０４）。次に、支援情報生成部３５は、収集情報に基づいて自局放送支援情報を生成する（ステップＳ３０５）。次に、支援情報出力部１２は、自局放送支援情報を出力する（ステップＳ３０６）。そして、自局放送支援情報を参照した自局放送実施者が操作入力を行い、自局放送部１１は、操作入力に基づいて自局放送を行う（ステップＳ３０７）。
【００８９】
このように動作することによって、放送装置３０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置３０向けの放送を検討・作成する必要がない。そのため、親局設備の操作者の負担を増やすことなく、聴取者の要望に応じた放送を行うことが可能になる。
【００９０】
以上で説明したように、本発明の第四の実施形態では、放送装置３０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置３０向けの放送を検討・作成する必要がない。そのため、親局設備の操作者の負担を増やすことなく、聴取者の要望に応じた放送を行うことが可能になる。
【００９１】
また、本実施形態の放送システムは、放送装置３０が自局放送支援情報を生成する。そのため、システム内の放送装置３０の数が多い場合に、自局放送支援情報の生成に関する負荷を各々の放送装置３０に分散することができる。また、これにより、聴取者からの情報収集開始から自局放送支援情報の出力までにかかる時間を短縮することが可能になる。
【００９２】
［第五の実施形態］
次に、本発明の第五の実施の形態について説明する。本実施形態では、放送装置４０が情報収集装置１４０から収集情報を受信して蓄積し、自局放送支援情報を生成する場合について説明する。
【００９３】
まず、図８を用いて本実施形態の情報収集装置１４０の構成例について説明する。本実施形態の情報収集装置１４０は、聴取者情報収集部１１１、周辺情報収集部１２５および収集情報送信部１４７により構成される。
【００９４】
聴取者情報収集部１１１は、聴取者情報を収集する部分である。周辺情報収集部１２５は、周辺情報を収集する部分である。なお、情報収集装置１４０は周辺情報収集部１２５を備えていなくても良い。収集情報送信部１４７は、収集情報を放送装置４０へ送信する部分である。収集情報送信部１４７は、送信先の放送装置４０を対象とする収集情報を放送装置４０へ送信する。
【００９５】
次に、図８を用いて本実施形態の放送装置４０の構成例について説明する。本実施形態の放送装置４０は、自局放送部１１、支援情報出力部１２、収集情報受信部３４、支援情報生成部３５および収集情報記憶部４６により構成される。
【００９６】
収集情報受信部３４は、情報収集装置１４０から収集情報を受信し、収集情報記憶部４６へ記憶させる部分である。収集情報記憶部４６は、収集情報を記憶する部分である。支援情報生成部３５は、収集情報に基づいて自局放送支援情報を生成する部分である。支援情報出力部１２は、自局放送支援情報を出力する部分である。自局放送部１１は、操作入力に基づいて自局放送を行う部分である。
【００９７】
このように放送装置４０を構成することによって、放送装置４０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置４０向けの放送を検討・作成する必要がない。そのため、親局設備の操作者の負担を増やすことなく、聴取者の要望に応じた放送を行うことが可能になる。
【００９８】
また、本実施形態の放送システムは、放送装置４０が自局放送支援情報を生成する。そのため、システム内の放送装置４０の数が多い場合に、自局放送支援情報の生成に関する負荷を各々の放送装置４０に分散することができる。また、これにより、聴取者からの情報収集開始から自局放送支援情報の出力までにかかる時間を短縮することが可能になる。
【００９９】
次に、図９を用いて、本実施形態の情報収集装置１４０および放送装置４０の動作例について説明する。
【０１００】
まず、情報収集装置１４０は、収集情報を収集する（ステップＳ４０１）。そして、収集情報送信部１４７は、収集情報を放送装置４０へ送信する（ステップＳ４０２）。
【０１０１】
放送装置４０の収集情報受信部３４は、収集情報を受信し（ステップＳ４０３）、収集情報記憶部４６へ記憶させる（ステップＳ４０４）。次に、支援情報生成部３５は収集情報記憶部４６の収集情報に基づいて自局放送支援情報を生成する（ステップＳ４０５）。次に、支援情報出力部１２は自局放送支援情報を出力する（ステップＳ４０６）。そして、自局放送支援情報を参照した自局放送実施者が操作入力を行い、自局放送部１１は、操作入力に基づいて自局放送を行う（ステップＳ４０７）。
【０１０２】
このように動作することによって、放送装置４０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置４０向けの放送を検討・作成する必要がない。そのため、親局設備の操作者の負担を増やすことなく、聴取者の要望に応じた放送を行うことが可能になる。
【０１０３】
以上で説明したように、本発明の第五の実施形態では、放送装置４０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置４０向けの放送を検討・作成する必要がない。そのため、親局設備の操作者の負担を増やすことなく、聴取者の要望に応じた放送を行うことが可能になる。
【０１０４】
また、本実施形態の放送システムは、放送装置４０が自局放送支援情報を生成する。そのため、システム内の放送装置４０の数が多い場合に、自局放送支援情報の生成に関する負荷を各々の放送装置４０に分散することができる。また、これにより、聴取者からの情報収集開始から自局放送支援情報の出力までにかかる時間を短縮することが可能になる。
【０１０５】
［第六の実施形態］
次に、本発明の第六の実施の形態について説明する。本実施形態では、放送装置５０が情報収集装置１５０から聴取者情報を受信し、また、放送装置５０が周辺情報を収集する場合について説明する。
【０１０６】
まず、図１０を用いて本実施形態の情報収集装置１５０の構成例について説明する。本実施形態の情報収集装置１５０は、聴取者情報収集部１１１および収集情報送信部１４７により構成される。
【０１０７】
聴取者情報収集部１１１は、聴取者情報を収集する部分である。収集情報送信部１４７は、聴取者情報を放送装置５０へ送信する部分である。このとき、収集情報送信部１４７は、送信先の放送装置５０を対象とする聴取者情報を送信する。
【０１０８】
次に、図１０を用いて本実施形態の放送装置５０の構成例について説明する。本実施形態の放送装置５０は、自局放送部１１、支援情報出力部１２、収集情報受信部３４、支援情報生成部３５、収集情報記憶部４６および周辺情報収集部５７により構成される。
【０１０９】
収集情報受信部３４は、情報収集装置１５０から聴取者情報を受信して収集情報記憶部４６に記憶させる部分である。
【０１１０】
周辺情報収集部５７は、周辺情報を収集して収集情報記憶部４６に記憶させる部分である。周辺情報収集部５７は、たとえば、振動センサ、放射線センサ、化学物質センサ、においセンサ、カメラ、雨量計、水位計等により周辺情報を収集することができる。なお、これらのセンサ類は、放送装置５０に内蔵されていても良いし、有線または無線で放送装置５０に接続されていても良い。
【０１１１】
収集情報記憶部４６は、収集情報を記憶する部分である。本実施形態の場合、収集情報記憶部４６は、聴取者情報および周辺情報を記憶する。また、収集情報記憶部４６は、周辺情報の一種として、あらかじめハザードマップを記憶しておいても良い。
【０１１２】
支援情報生成部３５は、聴取者情報および周辺情報に基づいて自局放送支援情報を生成する部分である。
【０１１３】
支援情報出力部１２は、操作入力に基づいて自局放送支援情報を出力する部分である。
【０１１４】
このように放送装置５０を構成することによって、放送装置５０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置５０向けの放送を検討・作成する必要がない。そのため、親局設備の操作者の負担を増やすことなく、聴取者の要望に応じた放送を行うことが可能になる。
【０１１５】
また、本実施形態の放送システムは、放送装置５０が自局放送支援情報を生成する。そのため、システム内の放送装置５０の数が多い場合に、自局放送支援情報の生成に関する負荷を各々の放送装置５０に分散することができる。また、これにより、聴取者からの情報収集開始から自局放送支援情報の出力までにかかる時間を短縮することが可能になる。
【０１１６】
また、本実施形態の放送システムでは、放送装置５０が周辺情報を収集する。これにより、本実施形態の放送システムは、第五の実施形態の放送システムに比べて、情報収集装置１４０の通信量や通信回線の使用率を削減することが可能になる。
【０１１７】
次に、図１１を用いて、本実施形態の情報収集装置１５０および放送装置５０の動作例について説明する。
【０１１８】
まず、情報収集装置１５０の聴取者情報収集部１１１は、聴取者情報を収集する（ステップＳ５０１）。そして、収集情報送信部１４７は、聴取者情報を送信する（ステップＳ５０２）。
【０１１９】
放送装置５０の収集情報受信部３４は、情報収集装置１５０から聴取者情報を受信する。また、周辺情報収集部５７は、周辺情報を収集する（ステップＳ５０３）。そして、放送装置５０は収集情報（聴取者情報および周辺情報）を収集情報記憶部４６に記憶させる（ステップＳ５０４）。次に、支援情報生成部３５は、収集情報記憶部４６の収集情報に基づいて自局放送支援情報を生成する（ステップＳ５０５）。次に、支援情報出力部１２は、自局放送支援情報を出力する（ステップＳ５０６）。そして、自局放送支援情報を参照した自局放送実施者が操作入力を行い、自局放送部１１は、操作入力に基づいて自局放送を行う（ステップＳ５０７）。
【０１２０】
このように動作することによって、放送装置５０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置５０向けの放送を検討・作成する必要がない。そのため、親局設備の操作者の負担を増やすことなく、聴取者の要望に応じた放送を行うことが可能になる。
【０１２１】
以上で説明したように、本発明の第六の実施形態では、放送装置５０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置５０向けの放送を検討・作成する必要がない。そのため、親局設備の操作者の負担を増やすことなく、聴取者の要望に応じた放送を行うことが可能になる。
【０１２２】
また、本実施形態の放送システムは、放送装置５０が自局放送支援情報を生成する。そのため、システム内の放送装置５０の数が多い場合に、自局放送支援情報の生成に関する負荷を各々の放送装置５０に分散することができる。また、これにより、聴取者からの情報収集開始から自局放送支援情報の出力までにかかる時間を短縮することが可能になる。
【０１２３】
また、本実施形態の放送システムでは、放送装置５０が周辺情報を収集する。これにより、本実施形態の放送システムは、第五の実施形態の放送システムに比べて、情報収集装置１４０の通信量や通信回線の使用率を削減することが可能になる。
【０１２４】
［第七の実施形態］
次に、本発明の第七の実施の形態について説明する。本実施形態では、放送装置６０が収集情報を収集する場合について説明する。
【０１２５】
まず、図１２に本実施形態の放送装置６０の構成例を示す。本実施形態の放送装置６０は、自局放送部１１、支援情報出力部１２、支援情報生成部３５、収集情報記憶部４６、周辺情報収集部５７および聴取者情報収集部６８により構成される。
【０１２６】
聴取者情報収集部６８は、聴取者情報を収集して収集情報記憶部４６に記憶させる部分である。本実施形態の聴取者情報収集部６８は、第二の実施形態の情報収集装置１１０の聴取者情報収集部１１１と同様の方法で聴取者情報を収集することができる。聴取者情報収集部６８は、聴取者情報収集部６８に有線あるいは無線で接続された通信端末経由で聴取者情報を収集しても良いし、聴取者情報収集部６８に聴取者が直接聴取者情報を入力できるようにしても良い。
【０１２７】
聴取者情報収集部６８が、無線で接続された通信端末経由で聴取者情報を収集する場合、聴取者情報収集部６８にアクセスポイントの機能を持たせて、聴取者の通信端末が聴取者情報収集部６８に接続できるようにしても良い。また、聴取者情報収集部６８と通信端末は複数のアクセスポイントを経由してマルチホップで通信しても良い。
【０１２８】
また、聴取者情報収集部６８と通信端末がマルチホップで通信する場合、聴取者情報収集部６８と通信端末との通信可能範囲が、自局放送の音声が届く範囲内となるように、アクセスポイントを設置することも可能である。このようにすると、自局放送の範囲外の通信端末による聴取者情報の提供を制限することができる。
【０１２９】
周辺情報収集部５７は、周辺情報を収集して収集情報記憶部４６に記憶させる部分である。なお、放送装置６０は、周辺情報収集部５７を備えていなくても良い。
【０１３０】
収集情報記憶部４６は、収集情報（聴取者情報および周辺情報）を記憶する部分である。支援情報生成部３５は、収集情報に基づいて自局放送支援情報を生成する部分である。支援情報出力部１２は、自局放送支援情報を出力する部分である。自局放送部１１は、操作入力に基づいて自局放送を行う部分である。
【０１３１】
このように放送装置６０を構成することによって、放送装置６０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置６０向けの放送を検討・作成する必要がない。そのため、親局設備の操作者の負担を増やすことなく、聴取者の要望に応じた放送を行うことが可能になる。
【０１３２】
また、本実施形態の放送システムは、放送装置６０が自局放送支援情報を生成する。そのため、システム内の放送装置６０の数が多い場合に、自局放送支援情報の生成に関する負荷を各々の放送装置６０に分散することができる。また、これにより、聴取者からの情報収集開始から自局放送支援情報の出力までにかかる時間を短縮することが可能になる。
【０１３３】
また、本実施形態の放送システムでは、放送装置６０が収集情報を収集して自局支援情報を生成する。これにより、本実施形態の放送システムは、放送装置６０単独で自局放送の支援を行うことが可能となる。そのため、第六の実施形態の放送システムに比べて、情報収集装置の通信量や通信回線の使用率を削減することが可能になる。また、情報収集装置を外部のネットワークに接続する必要がなくなるため、情報収集装置のセキュリティーの向上や、情報収集装置のランニングコストの削減という効果も期待できる。また、特にＳＣＰＣ（Single channel per carrier）方式等を用いた、単信で通信を行うシステムにおいて、システム全体の通信効率を低下させることなく自局放送の支援を実現することが可能となる。
【０１３４】
また、本実施形態の放送装置６０は、聴取者情報収集部６８と通信端末がマルチホップで通信する場合に、聴取者情報収集部６８と通信端末との通信可能範囲が、自局放送の音声が届く範囲内となるように、アクセスポイントを設置することも可能である。このようにすると、自局放送の範囲外の通信端末による聴取者情報の提供を制限することができる。
【０１３５】
次に、図１３を用いて本実施形態の放送装置６０の動作例について説明する。
【０１３６】
まず、聴取者情報収集部６８は聴取者情報を収集し、周辺情報収集部５７は情報を収集する（ステップＳ６０１）。次に、聴取者情報収集部６８および周辺情報収集部５７は、収集情報を収集情報記憶部４６に記憶させる（ステップＳ６０２）。次に、支援情報生成部３５は、収集情報に基づいて自局放送支援情報を生成する（ステップＳ６０３）。次に、支援情報出力部１２は、自局放送支援情報を出力する（ステップＳ６０４）。そして、自局放送支援情報を参照した自局放送実施者が操作入力を行い、自局放送部１１は、操作入力に基づいて自局放送を行う（ステップＳ６０５）。
【０１３７】
このように動作することによって、放送装置６０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置６０向けの放送を検討・作成する必要がない。そのため、親局設備の操作者の負担を増やすことなく、聴取者の要望に応じた放送を行うことが可能になる。
【０１３８】
以上で説明したように、本発明の第七の実施形態では、放送装置６０は、自局放送に対する聴取者の要望を示す自局放送支援情報を出力する。これにより、出力された自局放送支援情報を確認したうえで自局放送実施者が自局放送を実施することが可能になる。また、親局設備の操作者が各々の放送装置６０向けの放送を検討・作成する必要がない。そのため、親局設備の操作者の負担を増やすことなく、聴取者の要望に応じた放送を行うことが可能になる。
【０１３９】
また、本実施形態の放送システムは、放送装置６０が自局放送支援情報を生成する。そのため、システム内の放送装置６０の数が多い場合に、自局放送支援情報の生成に関する負荷を各々の放送装置６０に分散することができる。また、これにより、聴取者からの情報収集開始から自局放送支援情報の出力までにかかる時間を短縮することが可能になる。
【０１４０】
また、本実施形態の放送システムでは、放送装置６０が収集情報を収集して自局支援情報を生成する。これにより、本実施形態の放送システムは、放送装置６０単独で自局放送の支援を行うことが可能となる。そのため、第六の実施形態の放送システムに比べて、情報収集装置の通信量や通信回線の使用率を削減することが可能になる。また、情報収集装置を外部のネットワークに接続する必要がなくなるため、情報収集装置のセキュリティーの向上や、情報収集装置のランニングコストの削減という効果も期待できる。また、特にＳＣＰＣ方式等を用いた、単信で通信を行うシステムにおいて、システム全体の通信効率を低下させることなく自局放送の支援を実現することが可能となる。
【０１４１】
また、本実施形態の放送装置６０は、聴取者情報収集部６８と通信端末がマルチホップで通信する場合に、聴取者情報収集部６８と通信端末との通信可能範囲が、自局放送の音声が届く範囲内となるように、アクセスポイントを設置することも可能である。このようにすると、自局放送の範囲外の通信端末による聴取者情報の提供を制限することができる。
【０１４２】
［ハードウェア構成例］
上述した本発明の各実施形態における放送装置（１０、２０、３０、４０、５０、６０）を、一つの情報処理装置（コンピュータ）を用いて実現するハードウェア資源の構成例について説明する。なお、放送装置は、物理的または機能的に少なくとも二つの情報処理装置を用いて実現してもよい。また、放送装置は、専用の装置として実現してもよい。また、放送装置の一部の機能のみを情報処理装置を用いて実現しても良い。
【０１４３】
図１４は、本発明の各実施形態の放送装置を実現可能な情報処理装置のハードウェア構成例を概略的に示す図である。情報処理装置９０は、通信インタフェース９１、入出力インタフェース９２、演算装置９３、記憶装置９４、不揮発性記憶装置９５およびドライブ装置９６を備える。
【０１４４】
通信インタフェース９１は、各実施形態の放送装置が、有線あるいは／および無線で外部装置と通信するための通信手段である。なお、放送装置を、少なくとも二つの情報処理装置を用いて実現する場合、それらの装置の間を通信インタフェース９１経由で相互に通信可能なように接続しても良い。
【０１４５】
入出力インタフェース９２は、入力デバイスの一例であるキーボードや、出力デバイスとしてのディスプレイ等のマンマシンインタフェースである。
【０１４６】
演算装置９３は、汎用のＣＰＵ（Central Processing Unit）やマイクロプロセッサ等の演算処理装置である。演算装置９３は、たとえば、不揮発性記憶装置９５に記憶された各種プログラムを記憶装置９４に読み出し、読み出したプログラムに従って処理を実行することが可能である。
【０１４７】
記憶装置９４は、演算装置９３から参照可能な、ＲＡＭ（Random Access Memory）等のメモリ装置であり、プログラムや各種データ等を記憶する。記憶装置９４は、揮発性のメモリ装置であっても良い。
【０１４８】
不揮発性記憶装置９５は、たとえば、ＲＯＭ（Read Only Memory）、フラッシュメモリ、等の、不揮発性の記憶装置であり、各種プログラムやデータ等を記憶することが可能である。
【０１４９】
ドライブ装置９６は、たとえば、後述する記録媒体９７に対するデータの読み込みや書き込みを処理する装置である。
【０１５０】
記録媒体９７は、たとえば、光ディスク、光磁気ディスク、半導体フラッシュメモリ等、データを記録可能な任意の記録媒体である。
【０１５１】
本発明の各実施形態は、たとえば、図１４に例示した情報処理装置９０により放送装置を構成し、この放送装置に対して、上記各実施形態において説明した機能を実現可能なプログラムを供給することにより実現してもよい。
【０１５２】
この場合、放送装置に対して供給したプログラムを、演算装置９３が実行することによって、実施形態を実現することが可能である。また、放送装置のすべてではなく、一部の機能を情報処理装置９０で構成することも可能である。
【０１５３】
さらに、上記プログラムを記録媒体９７に記録しておき、放送装置の出荷段階、あるいは運用段階等において、適宜上記プログラムが不揮発性記憶装置９５に格納されるよう構成してもよい。なお、この場合、上記プログラムの供給方法は、出荷前の製造段階、あるいは運用段階等において、適当な治具を利用して放送装置内にインストールする方法を採用してもよい。また、上記プログラムの供給方法は、インターネット等の通信回線を介して外部からダウンロードする方法等の一般的な手順を採用してもよい。
【０１５４】
なお、上述する各実施の形態は、本発明の好適な実施の形態であり、本発明の要旨を逸脱しない範囲内において種々変更実施が可能である。
【０１５５】
上記の実施形態の一部または全部は、以下の付記のようにも記載されうるが、以下には限られない。
【０１５６】
（付記１）
自装置が独自に放送する自局放送に対する聴取者の要望を示す自局放送支援情報を出力する支援情報出力部と、
前記自装置に対する操作入力に基づいて前記自局放送を行う自局放送部と
を備えることを特徴とする放送装置。
【０１５７】
（付記２）
情報収集装置から前記自局放送支援情報を受信する支援情報受信部
をさらに備えることを特徴とする付記１に記載の放送装置。
【０１５８】
（付記３）
前記自局放送支援情報は、さらに、前記聴取者の前記要望以外を示す周辺情報を含む
ことを特徴とする付記２に記載の放送装置。
【０１５９】
（付記４）
前記自局放送に対する前記聴取者の前記要望に関する聴取者情報を含む収集情報を情報収集装置から受信する収集情報受信部と、
前記収集情報に基づいて前記自局放送支援情報を生成する支援情報生成部と
をさらに備えることを特徴とする付記１に記載の放送装置。
【０１６０】
（付記５）
前記収集情報受信部は、前記収集情報を収集情報記憶部に記憶させ、
前記支援情報生成部は、前記収集情報記憶部の前記収集情報に基づいて前記自局放送支援情報の生成を行う
ことを特徴とする付記４に記載の放送装置。
【０１６１】
（付記６）
前記収集情報は、さらに前記聴取者情報以外の周辺情報を含む
ことを特徴とする付記４あるいは付記５に記載の放送装置。
【０１６２】
（付記７）
前記聴取者情報以外の周辺情報を収集し、前記周辺情報を前記収集情報記憶部に記憶させる周辺情報収集部
をさらに備え、
前記支援情報生成部は、前記自局放送支援情報の生成を前記収集情報記憶部の前記聴取者情報および前記周辺情報に基づいて行う
ことを特徴とする付記５に記憶の放送装置。
【０１６３】
（付記８）
前記自局放送に対する前記聴取者の前記要望に関する聴取者情報を収集して収集情報記憶部に記憶させる聴取者情報収集部と、
前記聴取者情報に基づいて前記自局放送支援情報を生成する支援情報生成部と
をさらに備えることを特徴とする、付記１に記載の放送装置。
【０１６４】
（付記９）
前記聴取者情報以外の周辺情報を収集して前記収集情報記憶部に記憶させる周辺情報収集部
をさらに備え、
前記支援情報生成部は、前記自局放送支援情報の生成を前記聴取者情報および前記周辺情報に基づいて行う
ことを特徴とする付記８に記載の放送装置。
【０１６５】
（付記１０）
付記２から付記７のいずれかに記載の放送装置と、
前記情報収集装置と
を備えることを特徴とする放送システム。
【０１６６】
（付記１１）
放送装置が独自に放送する自局放送に対する聴取者の要望に関する聴取者情報を収集する聴取者情報収集部と、
前記聴取者情報を含む収集情報を前記放送装置へ送信する収集情報送信部と
を備えることを特徴とする情報収集装置。
【０１６７】
（付記１２）
前記聴取者情報以外の周辺情報を収集する周辺情報収集部
をさらに備え、
前記収集情報は、さらに前記周辺情報を含む
ことを特徴とする付記１１に記載の情報収集装置。
【０１６８】
（付記１３）
放送装置が独自に放送する自局放送に対する聴取者の要望に関する聴取者情報を収集して収集情報記憶部に記憶させる聴取者情報収集部と、
前記聴取者情報を含む収集情報を前記放送装置へ送信する収集情報送信部と
を備えることを特徴とする情報収集装置。
【０１６９】
（付記１４）
放送装置が独自に放送する自局放送に対する聴取者の要望に関する聴取者情報を収集して収集情報記憶部に記憶させる聴取者情報収集部と、
前記聴取者情報を含む収集情報に基づいて前記自局放送に対する前記聴取者の要望を示す自局放送支援情報を生成する支援情報生成部と、
前記自局放送支援情報を前記放送装置へ送信する支援情報送信部と
を備えることを特徴とする情報収集装置。
【０１７０】
（付記１５）
前記聴取者情報以外の周辺情報を収集して前記収集情報記憶部に記憶させる周辺情報収集部
をさらに備え、
前記収集情報は、さらに前記周辺情報を含む
ことを特徴とする付記１３あるいは付記１４に記載の情報収集装置。
【０１７１】
（付記１６）
自装置が独自に放送する自局放送に対する聴取者の要望を示す自局放送支援情報を出力し、
前記自装置に対する操作入力に基づいて前記自局放送を行う
ことを特徴とする放送方法。
【０１７２】
（付記１７）
情報収集装置から前記自局放送支援情報を受信する
ことを特徴とする付記１６に記載の放送方法。
【０１７３】
（付記１８）
前記自局放送支援情報は、さらに、前記聴取者の前記要望以外を示す周辺情報を含む
ことを特徴とする付記１７に記載の放送方法。
【０１７４】
（付記１９）
前記自局放送に対する前記聴取者の前記要望に関する聴取者情報を含む収集情報を情報収集装置から受信し、
前記収集情報に基づいて前記自局放送支援情報を生成する
ことを特徴とする付記１６に記載の放送方法。
【０１７５】
（付記２０）
前記収集情報を収集情報記憶部に記憶させ、
前記収集情報記憶部の前記収集情報に基づいて前記自局放送支援情報の生成を行う
ことを特徴とする付記１９に記載の放送方法。
【０１７６】
（付記２１）
前記収集情報は、さらに前記聴取者情報以外の周辺情報を含む
ことを特徴とする付記１９あるいは付記２０に記載の放送方法。
【０１７７】
（付記２２）
前記聴取者情報以外の周辺情報を収集し、前記周辺情報を前記収集情報記憶部に記憶させ、
前記自局放送支援情報の生成を前記収集情報記憶部の前記聴取者情報および前記周辺情報に基づいて行う
ことを特徴とする付記２０に記憶の放送方法。
【０１７８】
（付記２３）
前記自局放送に対する前記聴取者の前記要望に関する聴取者情報を収集して収集情報記憶部に記憶させ、
前記聴取者情報に基づいて前記自局放送支援情報を生成する
ことを特徴とする、付記１６に記載の放送方法。
【０１７９】
（付記２４）
前記聴取者情報以外の周辺情報を収集して前記収集情報記憶部に記憶させ、
前記自局放送支援情報の生成を前記聴取者情報および前記周辺情報に基づいて行う
ことを特徴とする付記２３に記載の放送方法。
【０１８０】
（付記２５）
放送装置が独自に放送する自局放送に対する聴取者の要望に関する聴取者情報を収集し、
前記聴取者情報を含む収集情報を前記放送装置へ送信する
ことを特徴とする情報収集方法。
【０１８１】
（付記２６）
前記聴取者情報以外の周辺情報を収集し、
前記収集情報は、さらに前記周辺情報を含む
ことを特徴とする付記２５に記載の情報収集方法。
【０１８２】
（付記２７）
放送装置が独自に放送する自局放送に対する聴取者の要望に関する聴取者情報を収集して収集情報記憶部に記憶させ、
前記聴取者情報を含む収集情報を前記放送装置へ送信する
ことを特徴とする情報収集方法。
【０１８３】
（付記２８）
放送装置が独自に放送する自局放送に対する聴取者の要望に関する聴取者情報を収集して収集情報記憶部に記憶させ、
前記聴取者情報を含む収集情報に基づいて前記自局放送に対する前記聴取者の要望を示す自局放送支援情報を生成し、
前記自局放送支援情報を前記放送装置へ送信する
ことを特徴とする情報収集方法。
【０１８４】
（付記２９）
前記聴取者情報以外の周辺情報を収集して前記収集情報記憶部に記憶させ、
前記収集情報は、さらに前記周辺情報を含む
ことを特徴とする付記２７あるいは付記２８に記載の情報収集方法。
【０１８５】
（付記３０）
コンピュータに、
自装置が独自に放送する自局放送に対する聴取者の要望を示す自局放送支援情報を出力する支援情報出力機能と、
前記自装置に対する操作入力に基づいて前記自局放送を行う自局放送機能と
を実現させることを特徴とする放送プログラム。
【０１８６】
（付記３１）
情報収集装置から前記自局放送支援情報を受信する支援情報受信機能
をさらにコンピュータに実現させることを特徴とする付記３０に記載の放送プログラム。
【０１８７】
（付記３２）
前記自局放送支援情報は、さらに、前記聴取者の前記要望以外を示す周辺情報を含む
ことを特徴とする付記３１に記載の放送プログラム。
【０１８８】
（付記３３）
前記自局放送に対する前記聴取者の前記要望に関する聴取者情報を含む収集情報を情報収集装置から受信する収集情報受信機能と、
前記収集情報に基づいて前記自局放送支援情報を生成する支援情報生成機能と
をさらにコンピュータに実現させることを特徴とする付記３０に記載の放送プログラム。
【０１８９】
（付記３４）
前記収集情報受信機能は、前記収集情報を収集情報記憶部に記憶させ、
前記支援情報生成機能は、前記収集情報記憶部の前記収集情報に基づいて前記自局放送支援情報の生成を行う
ことを特徴とする付記３３に記載の放送プログラム。
【０１９０】
（付記３５）
前記収集情報は、さらに前記聴取者情報以外の周辺情報を含む
ことを特徴とする付記３３あるいは付記３４に記載の放送プログラム。
【０１９１】
（付記３６）
前記聴取者情報以外の周辺情報を収集し、前記周辺情報を前記収集情報記憶部に記憶させる周辺情報収集機能
をさらにコンピュータに実現させ、
前記支援情報生成機能は、前記自局放送支援情報の生成を前記収集情報記憶部の前記聴取者情報および前記周辺情報に基づいて行う
ことを特徴とする付記３４に記憶の放送プログラム。
【０１９２】
（付記３７）
前記自局放送に対する前記聴取者の前記要望に関する聴取者情報を収集して収集情報記憶部に記憶させる聴取者情報収集機能と、
前記聴取者情報に基づいて前記自局放送支援情報を生成する支援情報生成機能と
をさらにコンピュータに実現させることを特徴とする、付記３０に記載の放送プログラム。
【０１９３】
（付記３８）
前記聴取者情報以外の周辺情報を収集して前記収集情報記憶部に記憶させる周辺情報収集機能
をさらにコンピュータに実現させ、
前記支援情報生成機能は、前記自局放送支援情報の生成を前記聴取者情報および前記周辺情報に基づいて行う
ことを特徴とする付記３７に記載の放送プログラム。
【０１９４】
（付記３９）
コンピュータに、
放送装置が独自に放送する自局放送に対する聴取者の要望に関する聴取者情報を収集する聴取者情報収集機能と、
前記聴取者情報を含む収集情報を前記放送装置へ送信する収集情報送信機能と
を実現させることを特徴とする情報収集プログラム。
【０１９５】
（付記４０）
前記聴取者情報以外の周辺情報を収集する周辺情報収集機能
をさらにコンピュータに実現させ、
前記収集情報は、さらに前記周辺情報を含む
ことを特徴とする付記３９に記載の情報収集プログラム。
【０１９６】
（付記４１）
コンピュータに、
放送装置が独自に放送する自局放送に対する聴取者の要望に関する聴取者情報を収集して収集情報記憶部に記憶させる聴取者情報収集機能と、
前記聴取者情報を含む収集情報を前記放送装置へ送信する収集情報送信機能と
を実現させることを特徴とする情報収集プログラム。
【０１９７】
（付記４２）
コンピュータに、
放送装置が独自に放送する自局放送に対する聴取者の要望に関する聴取者情報を収集して収集情報記憶部に記憶させる聴取者情報収集機能と、
前記聴取者情報を含む収集情報に基づいて前記自局放送に対する前記聴取者の要望を示す自局放送支援情報を生成する支援情報生成機能と、
前記自局放送支援情報を前記放送装置へ送信する支援情報送信機能と
を実現させることを特徴とする情報収集プログラム。
【０１９８】
（付記４３）
前記聴取者情報以外の周辺情報を収集して前記収集情報記憶部に記憶させる周辺情報収集機能
をさらにコンピュータに実現させ、
前記収集情報は、さらに前記周辺情報を含む
ことを特徴とする付記４１あるいは付記４２に記載の情報収集プログラム。
【０１９９】
（付記４４）
付記２に記載の放送装置と、
前記情報収集装置と
を備え、
前記情報収集装置は、付記１４に記載の情報収集装置である
ことを特徴とする放送システム。
【０２００】
（付記４５）
付記３に記載の放送装置と、
前記情報収集装置と
を備え、
前記情報収集装置は、付記１５に記載の情報収集装置である
ことを特徴とする放送システム。
【０２０１】
（付記４６）
付記４に記載の放送装置と、
前記情報収集装置と
を備え、
前記情報収集装置は、付記１３に記載の情報収集装置である
ことを特徴とする放送システム。
【０２０２】
（付記４７）
付記５あるいは付記７に記載の放送装置と、
前記情報収集装置と
を備え、
前記情報収集装置は、付記１１に記載の情報収集装置である
ことを特徴とする放送システム。
【０２０３】
（付記４８）
付記６に記載の放送装置と、
前記情報収集装置と
を備え、
前記情報収集装置は、付記１２あるいは付記１５に記載の情報収集装置である
ことを特徴とする放送システム。
【符号の説明】
【０２０４】
１０、２０、３０、４０、５０、６０    放送装置
１１    自局放送部
１２    支援情報出力部
２３    支援情報受信部
３４    収集情報受信部
３５    支援情報生成部
４６    収集情報記憶部
５７    周辺情報収集部
６８    聴取者情報収集部
１１０、１２０、１３０、１４０、１５０    情報収集装置
１１１    聴取者情報収集部
１１２    収集情報記憶部
１１３    支援情報生成部
１１４    支援情報送信部
１２５    周辺情報収集部
１３６    収集情報送信部
１４７    収集情報送信部
９０    情報処理装置
９１    通信インタフェース
９２    入出力インタフェース
９３    演算装置
９４    記憶装置
９５    不揮発性記憶装置
９６    ドライブ装置
９７    記録媒体
【図１】
2019047456.tif 000003
【図２】
2019047456.tif 000004
【図３】
2019047456.tif 000005
【図４】
2019047456.tif 000006
【図５】
2019047456.tif 000007
【図６】
2019047456.tif 000008
【図７】
2019047456.tif 000009
【図８】
2019047456.tif 000010
【図９】
2019047456.tif 000011
【図１０】
2019047456.tif 000012
【図１１】
2019047456.tif 000013
【図１２】
2019047456.tif 000014
【図１３】
2019047456.tif 000015
【図１４】
2019047456.tif 000016